(57)【要約】    【課題】携帯電話において簡便に取り替えることができる装飾を実現するために、使用できる、型取り用シートを、提供すること。    【解決手段】透明シート５１と第１接着剤層５２と第１剥離シート５３と、からなっており、透明シート５１及び第１接着剤層５２は、所定の平面形状及び大きさを示す輪郭に沿ってハーフカットされて形成された切取線５９１に沿って、第１剥離シート５３から剥がすことによって、一体の第１型取り用シート片を構成するようになっており、第１型取り用シート片は、第１接着剤層５２を介して装飾用シートに貼り付けることができるようになっている。【選択図】図６
2013183198.tif 000002
【特許請求の範囲】
【請求項１】
装飾用シートを、携帯電話の背面を覆うように携帯電話に取り付けられる透明な保護カバーと携帯電話の前記背面との間に挟まれる、所望の平面形状及び大きさの装飾用シート片に、加工するのに使用される、携帯電話用の型取り用シートであって、
透明シートと、前記透明シートの裏面に塗布された微粘着接着剤からなる第１接着剤層と、前記第１接着剤層に接合された第１剥離シートと、からなっており、
前記透明シート及び前記第１接着剤層には、所定の平面形状及び大きさを示す輪郭に沿った切取線が、ハーフカットされて形成されており、
前記所定の平面形状及び大きさを示す輪郭は、前記所望の平面形状及び大きさの装飾用シート片の輪郭と一致するように設定されており、
前記透明シート及び前記第１接着剤層は、前記切取線に沿って前記第１剥離シートから剥がすことによって、一体の第１型取り用シート片を構成するようになっており、
前記第１型取り用シート片は、前記第１接着剤層を介して前記装飾用シートに貼り付けることができるようになっている、
ことを特徴とする型取り用シート。
【請求項２】
更に、前記透明シートの表面に塗布された微粘着接着剤からなる第２接着剤層と、前記第２接着剤層に接合された第２剥離シートと、を有しており、
前記切取線が、前記第２剥離シート、前記第２接着剤層、前記透明シート、及び前記第１接着剤層に、ハーフカットされて形成されており、
前記第２剥離シート、前記第２接着剤層、前記透明シート、及び前記第１接着剤層は、前記切取線に沿って前記第１剥離シートから剥がすことによって、一体の第２型取り用シート片を構成するようになっており、
前記第２型取り用シート片は、前記第１接着剤層を介して前記装飾用シートに貼り付けることができるようになっており、且つ、前記第２剥離シートを剥がすことによって前記第２接着剤層を介して前記保護カバーの内面に貼り付けることができるようになっている、
請求項１記載の型取り用シート。
【請求項３】
携帯電話の背面を覆うように携帯電話に取り付けられる透明な保護カバーと、
請求項１又は２に記載の型取り用シートと、
を備えた携帯電話の装飾用キットであって、
前記保護カバーは、携帯電話に取り付けられた際に前記背面との間に装飾用シート片の厚みに相当する隙間を確保するような深さを有している、
ことを特徴とする装飾用キット。
【発明の詳細な説明】
【技術分野】
【０００１】
本発明は、携帯電話を装飾するための、型取り用シート及び装飾用キットに関する。
【背景技術】
【０００２】
最近では、携帯電話を装飾するために、携帯電話の背面に保護カバーを取り付け、該保護カバーの表面に飾り付けを施すことが、行われている。例えば、特許文献１には、保護カバーの表面に彫刻を施して装飾する方法が、示されている。
【先行技術文献】
【特許文献】
【０００３】
【特許文献１】特開２００７−０７４５２７号公報
【発明の概要】
【発明が解決しようとする課題】
【０００４】
しかしながら、保護カバーへの飾り付けは、労力を要し、高コストである。しかも、一旦施した飾り付けを変更するのは、困難であるので、飾り付けが気に入らない場合には、我慢したり保護カバーを取り替えたりする必要がある。しかるに、保護カバーを取り替えるのは、面倒であり、高コストである。
【０００５】
本発明は、携帯電話において簡便に取り替えることができる装飾を実現するために、使用できる、型取り用シート及び装飾用キットを、提供することを目的としている。
【課題を解決するための手段】
【０００６】
本願の第１発明は、装飾用シートを、携帯電話の背面を覆うように携帯電話に取り付けられる透明な保護カバーと携帯電話の前記背面との間に挟まれる、所望の平面形状及び大きさの装飾用シート片に、加工するのに使用される、携帯電話用の型取り用シートであって、
透明シートと、前記透明シートの裏面に塗布された微粘着接着剤からなる第１接着剤層と、前記第１接着剤層に接合された第１剥離シートと、からなっており、
前記透明シート及び前記第１接着剤層には、所定の平面形状及び大きさを示す輪郭に沿った切取線が、ハーフカットされて形成されており、
前記所定の平面形状及び大きさを示す輪郭は、前記所望の平面形状及び大きさの装飾用シート片の輪郭と一致するように設定されており、
前記透明シート及び前記第１接着剤層は、前記切取線に沿って前記第１剥離シートから剥がすことによって、一体の第１型取り用シート片を構成するようになっており、
前記第１型取り用シート片は、前記第１接着剤層を介して前記装飾用シートに貼り付けることができるようになっている、
ことを特徴としている。
【０００７】
前記第１発明は、更に、次の構成を備えてもよい。
すなわち、更に、前記透明シートの表面に塗布された微粘着接着剤からなる第２接着剤層と、前記第２接着剤層に接合された第２剥離シートと、を有しており、
前記切取線が、前記第２剥離シート、前記第２接着剤層、前記透明シート、及び前記第１接着剤層に、ハーフカットされて形成されており、
前記第２剥離シート、前記第２接着剤層、前記透明シート、及び前記第１接着剤層は、前記切取線に沿って前記第１剥離シートから剥がすことによって、一体の第２型取り用シート片を構成するようになっており、
前記第２型取り用シート片は、前記第１接着剤層を介して前記装飾用シートに貼り付けることができるようになっており、且つ、前記第２剥離シートを剥がすことによって前記第２接着剤層を介して前記保護カバーの内面に貼り付けることができるようになっている。
【０００８】
本願の第２発明は、携帯電話の背面を覆うように携帯電話に取り付けられる透明な保護カバーと、
前記本発明の型取り用シートと、
を備えた携帯電話の装飾用キットであって、
前記保護カバーは、携帯電話に取り付けられた際に前記背面との間に装飾用シート片の厚みに相当する隙間を確保するような深さを有している、
ことを特徴としている。
【発明の効果】
【０００９】
前記第１発明の型取り用シートによれば、平面形状及び大きさが例えば携帯電話の背面と一致した装飾用シート片を、簡便に得ることができる。したがって、本発明の型取り用シートを使用すれば、装飾用シート片を簡便に取り替えることができ、それによって、携帯電話において簡便に取り替えることができる装飾を実現できる。
【００１０】
前記第２発明の装飾用キットによれば、保護カバーが所定の深さを有しているので、型取り用シートを用いて得られた装飾用シート片を、窮屈な感じを抱かせることなく、携帯電話の背面と保護カバーの本体面との間に挟むことができる。また、保護カバーが透明であるので、装飾用シート片の図柄を明瞭に表出させることができる。
【図面の簡単な説明】
【００１１】
【図１】本発明によって実現された装飾を備えた、保護カバー付き携帯電話の、背面斜視図である。
【図２】図１の保護カバー付き携帯電話の分解背面斜視図である。
【図３】保護カバーの裏面斜視図である。
【図４】図３のIV矢視図である。
【図５】第１実施形態の型取り用シートの平面図である。
【図６】図５のVI−VI断面図である。
【図７】第１型取り用シート片の平面図である。
【図８】図７のVIII−VIII断面図である。
【図９】図７の第１型取り用シート片を剥がした後の図５の型取り用シートの断面図である。
【図１０】図５の型取り用シートを使用する一工程を示す平面図である。
【図１１】図１０に続く工程を示す平面図である。
【図１２】図１１のＸII−ＸII断面図である。
【図１３】図１１に続く工程を示す断面図である。
【図１４】図１３のＸIII−ＸIII断面図である。
【図１５】第２実施形態の型取り用シートの断面図である。
【図１６】第２型取り用シート片の断面図である。
【図１７】図１６の第２型取り用シート片を剥がした後の図１５の型取り用シートの断面図である。
【図１８】図１５の型取り用シートを使用する一工程を示す断面図である。
【図１９】図１８に続く工程を示す断面図である。
【図２０】図１９に続く工程を示す断面図である。
【発明を実施するための形態】
【００１２】
（第１実施形態）
図１は、本発明によって実現された装飾を備えた、保護カバー付き携帯電話の、背面斜視図である。図２は、図１の保護カバー付き携帯電話の分解背面斜視図である。保護カバー付き携帯電話１０においては、携帯電話１の背面１１を覆うように保護カバー２が取り付けられており、背面１１と保護カバー２の本体面２１との間に、図柄３００が写っている写真等の装飾用シート片３Ａが、挟まれて保持されている。ここでは、シート片３Ａの平面形状及び大きさは、携帯電話１の背面１１の平面形状及び大きさと一致している。したがって、シート片３Ａは、携帯電話１の背面１１の全面を覆って、背面１１と保護カバー２の本体面２１との間に、ぴったりと挟まれている。保護カバー２は、透明樹脂でできている。よって、シート片３Ａの図柄３００は、本体面２１の表面から視認できる。これにより、携帯電話１の背面１１の全面が図柄３００によって装飾されたこととなる。保護カバー２を構成する透明樹脂としては、例えば、ポリエステル樹脂を使用できる。
【００１３】
なお、携帯電話１は、スマートフォンが好ましい。何故なら、スマートフォンは、背面１１の平坦性に優れているからである。しかし、携帯電話１は、スマートフォンに限らない。
【００１４】
保護カバー２は、取り付け対象の携帯電話１の形態に適合した形態を有している。図３は、保護カバー２の裏面斜視図である。図４は、図３のIV矢視図である。保護カバー２は、本体面２１の周囲に把持面２２を有しており、把持面２２によって携帯電話１を周囲から把持することによって、携帯電話１に取り付けられるようになっている。なお、把持面２２には、保護カバー２が携帯電話１に取り付けられた場合に、携帯電話１の側面の特定部分を露出させるための、切欠き部２３１、２３２、２３３が形成されている。例えば、切欠き部２３１は、操作ボタンを露出させている。切欠き部２３２は、充電端子を露出させている。また、本体面２１には、携帯電話１の背面１１に設けられているカメラレンズ部１１１を露出させるための孔部２１１が形成されている。
【００１５】
更に、保護カバー２は、携帯電話１に取り付けた際に背面１１との間にシート片３Ａの厚みに相当する隙間を確保するような深さＤ（図３）を、有している。
【００１６】
前述したように、シート片３Ａの平面形状及び大きさは、携帯電話１の背面１１の平面形状及び大きさと一致している。そのようなシート片３Ａは、本発明の型取り用シート５Ａを用いて形成される。
【００１７】
図５は、本発明の型取り用シート５Ａの平面図である。図６は、図５のVI−VI断面図である。型取り用シート５Ａは、透明シート５１と、透明シート５１の裏面に塗布された透明な微粘着接着剤からなる第１接着剤層５２と、第１接着剤層５２に接合された第１剥離シート５３と、からなっている。透明シート５１及び第１接着剤層５２には、所定の平面形状及び大きさを示す輪郭に沿った切取線５９１、５９２がハーフカットされて形成されている。切取線５９１が示す所定の平面形状及び大きさは、携帯電話１の背面１１の平面形状及び大きさと一致している。切取線５９２が示す所定の平面形状及び大きさは、携帯電話１の背面１１におけるカメラレンズ部１１１の平面形状及び大きさと一致している。透明シート５１及び第１接着剤層５２は、切取線５９１、５９２に沿って第１剥離シート５３から剥がすことができ、第１剥離シート５３から剥がすと、図７に示されるような一体の型取り用シート片（第１型取り用シート片）５０Ａを構成するようになっている。図８は、図７のVIII−VIII断面図である。図９は、シート片５０Ａが剥がされた後のシート５Ａの断面図である。そして、シート片５０Ａは、第１接着剤層５２を介して装飾用シート３（図１０）に貼り付けることができるようになっている。なお、装飾用シート３は、図柄３００が写っている写真等である。
【００１８】
なお、第１接着剤層５２の微粘着接着剤は、透明シート５１を対象面に対して貼り付けるが、透明シート５１を対象面から引き剥がした場合には対象面に粘着性を残さないように、機能する。より具体的には、透明シート５１としては、例えば、ポリエチレンテレフタレートシートを使用でき、微粘着接着剤としては、例えば、アクリル系樹脂を使用でき、第１剥離シート５３としては、例えば、紙シートを使用できる。
【００１９】
型取り用シート５Ａは、次のように使用する。
【００２０】
まず、型取り用シート５Ａから型取り用シート片５０Ａを剥がす。次に、図１０に示されるように、シート片５０Ａを、装飾用シート３に対して、上方から重ねていき、貼り付ける。図１１は、シート片５０Ａを装飾用シート３の所望の位置に貼り付けた状態を示す。ここで、所望の位置とは、例えば、シート３の図柄３００がシート片５０Ａ内に最も見映え良く収まる位置である。図１２は、図１１のＸII−ＸII断面図である。次に、シート片５０Ａの輪郭５０１、５０２に沿ってシート３を裁断する。なお、輪郭５０１は、切取線５９１に沿ってできており、輪郭５０２は、切取線５９２に沿ってできている。これにより、図１３に示されるシート片３Ａが得られる。図１４は、図１３のＸIV−ＸIV断面図である。シート片３Ａは、裁断されたシート３の表面にシート片５０Ａが第１接着剤層５２を介して貼り付いた構成を有している。
【００２１】
こうして得られたシート片３Ａは、図２に示されるような位置関係で、携帯電話１と保護カバー２との間に配置されて、保護カバー２の本体面２１と携帯電話１の背面１１とによって挟まれる。
【００２２】
シート片３Ａは、シート片５０Ａの輪郭５０１と同じ輪郭を有しているので、平面形状及び大きさが、携帯電話１の背面１１の平面形状及び大きさと一致している。したがって、シート片３Ａは、携帯電話１の背面１１の全面を覆って、保護カバー２の本体面２１と携帯電話１の背面１１との間に、ぴったりと挟まれる。しかも、シート片３Ａは、輪郭５０２でも裁断されているので、孔３１が形成されており、背面１１を覆った際に、カメラレンズ部１１１を、孔３１を通して露出させることができる。
【００２３】
以上のように、本発明の型取り用シート５Ａによれば、保護カバー２の本体面２１と携帯電話１の背面１１との間に挟まれることによって携帯電話１を装飾できるシート片３Ａを、簡単に且つ確実に、形成できる。したがって、シート片３Ａを簡便に変更でき、それによって、種々の装飾を楽しむことができる。すなわち、本発明の型取り用シート５Ａは、携帯電話１において簡便に取り替えることができる装飾を実現するために、使用できる。
【００２４】
また、別の本発明は、保護カバー２と型取り用シート５Ａとからなる装飾用キットである。この装飾用キットによれば、保護カバー２が深さＤを有しているので、型取り用シート５Ａを用いて得られたシート片３Ａを、窮屈な感じを抱かせることなく、保護カバー２の本体面２１と携帯電話１の背面１１との間に挟むことができる。また、保護カバー２が透明であるので、シート片３Ａの図柄３００を明瞭に表出させることができる。
【００２５】
（第２実施形態）
第１実施形態の型取り用シート５Ａは、透明シート５１と第１接着剤層５２と第１剥離シート５３とからなる３層構造を有しているが、本発明の型取り用シートは、これに限るものではなく、図１５に示される型取り用シート５Ｂのように、第２剥離シート５５と第２接着剤層５４と透明シート５１と第１接着剤層５２と第１剥離シート５３とからなる５層構造を有してもよい。
【００２６】
シート５Ｂでは、ハーフカットの切取線は、第２剥離シート５５と第２接着剤層５４と透明シート５１と第１接着剤層５２とに、形成されている。図１５では、切取線５９１のみが示されている。
【００２７】
図１６は、第２剥離シート５５と第２接着剤層５４と透明シート５１と第１接着剤層５２とを、切取線に沿って第１剥離シート５３から剥がしてできた、型取り用シート片（第２型取り用シート片）５０Ｂを、示しており、第１実施形態の図８に相当している。図１７は、型取り用シート片５０Ｂを剥がした後のシート５Ｂを示しており、第１実施形態の図９に相当している。
【００２８】
型取り用シート５Ｂも、第１実施形態の型取り用シート５Ａと略同様に、次のように使用する。
【００２９】
まず、型取り用シート５Ｂから型取り用シート片５０Ｂを剥がす。次に、装飾用シート３に対して、シート片５０Ｂを上方から重ねていき、貼り付ける。図１８は、装飾用シート３の所望の位置にシート片５０Ｂを貼り付けた状態の断面図である。そして、シート片５０Ｂの輪郭（例えば、シート片５０Ａの輪郭５０１、５０２と同じ輪郭）に沿ってシート３を裁断する。これにより、図１９に示されるシート片３Ｂが得られる。シート片３Ｂは、裁断されたシート３の表面にシート片５０Ｂが第１接着剤層５２を介して貼り付いた構成を有している。
【００３０】
こうして得られたシート片３Ｂは、図２０に示されるように、第２剥離シート５５を剥がした状態で、第２接着剤層５４を介して保護カバー２の本体面２１の内面に貼り付けられ、保護カバー２と共に携帯電話１の背面１１に取り付けられる。
【００３１】
本実施形態の型取り用シート５Ｂによっても、第１実施形態と同様の効果を発揮できる。特に、本実施形態では、シート片３Ｂを、第２接着剤層５４を介して保護カバー２の本体面２１の内面に貼り付けた状態で、携帯電話１の背面１１に取り付けることができるので、簡単に且つ安定した状態で、取り付けることができる。
【００３２】
また、別の本発明は、保護カバー２と型取り用シート５Ｂとからなる装飾用キットである。この装飾用キットによれば、保護カバー２が深さＤを有しているので、型取り用シート５Ｂを用いて得られたシート片３Ｂを、窮屈な感じを抱かせることなく、保護カバー２の本体面２１と携帯電話１の背面１１との間に挟むことができる。また、保護カバー２が透明であるので、シート片３Ｂの図柄を明瞭に表出させることができる。
【００３３】
（別の実施形態）
（１）本発明の型取り用シートが構成する型取り用シート片の平面形状及び大きさは、携帯電話１の背面１１の平面形状及び大きさと一致していなくてもよく、任意でよい。
（２）別の本発明の装飾用キットが備える型取り用シートは、第１及び第２実施形態に限るものではなく、前記（１）で述べた任意のものでもよい。
【産業上の利用可能性】
【００３４】
本発明の型取り用シートは、携帯電話において簡便に取り替えることができる装飾を実現するために、使用できるので、産業上の利用価値が大である。
【符号の説明】
【００３５】
１  携帯電話  １１  背面  ２  保護カバー  ３  装飾用シート  ３Ａ、３Ｂ  装飾用シート片  ５Ａ、５Ｂ  型取り用シート  ５０Ａ  第１型取り用シート片  ５０Ｂ  第２型取り用シート片  ５１  透明シート  ５２  第１接着剤層  ５３  第１剥離シート  ５４  第２接着剤層  ５５  第２剥離シート  ５９１、５９２  切取線
【図１】
2013183198.tif 000003
【図２】
2013183198.tif 000004
【図３】
2013183198.tif 000005
【図４】
2013183198.tif 000006
【図５】
2013183198.tif 000007
【図６】
2013183198.tif 000008
【図７】
2013183198.tif 000009
【図８】
2013183198.tif 000010
【図９】
2013183198.tif 000011
【図１０】
2013183198.tif 000012
【図１１】
2013183198.tif 000013
【図１２】
2013183198.tif 000014
【図１３】
2013183198.tif 000015
【図１４】
2013183198.tif 000016
【図１５】
2013183198.tif 000017
【図１６】
2013183198.tif 000018
【図１７】
2013183198.tif 000019
【図１８】
2013183198.tif 000020
【図１９】
2013183198.tif 000021
【図２０】
2013183198.tif 000022